(57)【要約】【課題】流下する遊技球の振分け先をより多様に変化させることができる遊技部材及び当該遊技部材を備えた遊技機を提供する。【解決手段】振分装置３０では、遊技領域を流下する遊技球が入球口８０に入球すると、遊技球は流路９１を流下して分岐部９９に排出される。分岐部９９に排出された遊技球は、遊技盤の前面に対して垂直な軸線を中心に回転可能な振分可動体３１０によって、分岐部９９から各々異なる方向に延びる三つの流路９２，９３，９６のいずれかに振分けられる。【選択図】図５
2015047481.tif 000002
【特許請求の範囲】
【請求項１】
遊技機の遊技盤に設けられる遊技部材であって、
前記遊技盤の前面に設けられた遊技領域を流下する遊技球が入球可能な入球口と、
前記入球口に入球した遊技球が流下可能な流路である入球路と、
前記入球路の下流側端部に接続され、前記入球路を流下した遊技球が排出される分岐部と、
前記分岐部に排出された遊技球が流下可能な流路であって、前記分岐部から各々異なる方向に延びる少なくとも三つの案内路と、
前記遊技盤の前面に対して垂直な軸線を中心に回転可能な回転体であって、前記分岐部に排出された遊技球を前記少なくとも三つの案内路のいずれかに振分ける振分部材と
を備えたことを特徴とする遊技部材。
【請求項２】
前記入球路の下流側端部は、遊技球を前記振分部材に向けて排出する排出案内部であり、
前記少なくとも三つの案内路は、前記振分部材を挟んで前記排出案内部とは反対側に延びる第一案内路と、前記第一案内路とは異なる方向に延びる複数の第二案内路とを含み、
前記振分部材は、遊技球が前記振分部材の内部に進入するのを妨げる壁面である規制面と、遊技球が前記振分部材の内部に進入可能な開口部である通過口とを含み、前記規制面と前記通過口とが交互に前記排出案内部と対向するように回転し、
前記排出案内部から排出された遊技球のうち、前記振分部材の内部に進入した遊技球は、前記振分部材から前記第一案内路に案内される一方、前記振分部材の内部に進入しない遊技球は、前記複数の第二案内路のいずれかに案内されることを特徴とする請求項１に記載の遊技部材。
【請求項３】
前記第一案内路を流下する遊技球の少なくとも一部を検出可能な第一検出手段を備え、
前記振分部材は、前記排出案内部から排出された遊技球のうち、前記通過口に進入する遊技球の割合が前記通過口に進入しない遊技球の割合よりも小さくなるように回転することを特徴とする請求項２に記載の遊技部材。
【請求項４】
前記複数の第二案内路を流下する遊技球の少なくとも一部を各々検出可能な複数の第二検出手段を備え、
前記第一検出手段は、遊技球を検出した場合、前記遊技機に第一の抽選を実行させる第一検出信号を出力し、
前記複数の第二検出手段は、各々遊技球を検出した場合、前記遊技機に第二の抽選を実行させる第二検出信号を出力することを特徴とする請求項３に記載の遊技部材。
【請求項５】
前記第一案内路を流下する遊技球の少なくとも一部が通過又は入賞可能な第一検出部と、
前記複数の第二案内路を流下する遊技球の少なくとも一部が各々通過又は入賞可能な複数の第二検出部とを備え、
前記第一検出手段は、前記第一検出部を通過又は入賞した遊技球を検出し、
前記複数の第二検出手段は、各々対応する前記第二検出部を通過又は入賞した遊技球を検出することを特徴とする請求項４に記載の遊技部材。
【請求項６】
前記振分部材を前記軸線を中心に回転可能であり、且つ、前記振分部材の回転方向、回転速度、回転範囲の少なくとも一つを制御可能な駆動手段を備えたことを特徴とする請求項２から５のいずれかに記載の遊技部材。
【請求項７】
前記駆動手段は、前記規制面と前記通過口とが交互に前記排出案内部と対向するように、前記振分部材を所定の回転範囲で一方向及び他方向に交互に回転させることを特徴とする請求項６に記載の遊技部材。
【請求項８】
請求項１から７のいずれかに記載の遊技部材を備えた遊技機。
【発明の詳細な説明】
【技術分野】
【０００１】
本発明は、流下する遊技球を複数の流路に振分ける遊技部材、及び当該遊技部材を備えた遊技機に関する。
【０００２】
従来、流下する遊技球を複数の流路に振分ける振分装置を備え、振分け先の異常な偏りを検知できるパチンコ機が知られている（例えば、特許文献１参照）。特許文献１に開示の振分装置は、遊技球の入口と、第１始動口の真上で開口した第１出口と、第２始動口の真上で開口した第２出口と、入口から入った遊技球の進路を第１出口と第２出口に交互に振分ける振分部材と備える。
【先行技術文献】
【特許文献】
【０００３】
【特許文献１】特開２０１２−２３５８３３号公報
【発明の概要】
【発明が解決しようとする課題】
【０００４】
上記のパチンコ機では、流下する遊技球が振分部材によって二つの始動口のいずれかに切り替えられる。しかしながら、遊技球が二つの始動口のいずれかに振分けられるだけでは、遊技球の流下態様に変化が乏しく、遊技の興趣を維持できないおそれがあった。
【０００５】
本発明は、流下する遊技球の振分け先をより多様に変化させることができる遊技部材及び当該遊技部材を備えた遊技機を提供することを目的とする。
【課題を解決するための手段】
【０００６】
本発明の第一態様に係る遊技部材は、遊技機の遊技盤に設けられる遊技部材であって、前記遊技盤の前面に設けられた遊技領域を流下する遊技球が入球可能な入球口と、前記入球口に入球した遊技球が流下可能な流路である入球路と、前記入球路の下流側端部に接続され、前記入球路を流下した遊技球が排出される分岐部と、前記分岐部に排出された遊技球が流下可能な流路であって、前記分岐部から各々異なる方向に延びる少なくとも三つの案内路と、前記遊技盤の前面に対して垂直な軸線を中心に回転可能な回転体であって、前記分岐部に排出された遊技球を前記少なくとも三つの案内路のいずれかに振分ける振分部材とを備える。
【０００７】
これによれば、遊技領域を流下する遊技球が入球口に入球すると、遊技球は入球路を流下して分岐部に排出される。分岐部に排出された遊技球は、遊技盤の前面に対して垂直な軸線を中心に回転可能な振分部材によって、分岐部から各々異なる方向に延びる少なくとも三つの案内路のいずれかに振分けられる。したがって、流下する遊技球の振分け先をより多様に変化させることができる。
【０００８】
前記入球路の下流側端部は、遊技球を前記振分部材に向けて排出する排出案内部であり、前記少なくとも三つの案内路は、前記振分部材を挟んで前記排出案内部とは反対側に延びる第一案内路と、前記第一案内路とは異なる方向に延びる複数の第二案内路とを含み、前記振分部材は、遊技球が前記振分部材の内部に進入するのを妨げる壁面である規制面と、遊技球が前記振分部材の内部に進入可能な開口部である通過口とを含み、前記規制面と前記通過口とが交互に前記排出案内部と対向するように回転し、前記排出案内部から排出された遊技球のうち、前記振分部材の内部に進入した遊技球は、前記振分部材から前記第一案内路に案内される一方、前記振分部材の内部に進入しない遊技球は、前記複数の第二案内路のいずれかに案内されてもよい。
【０００９】
この場合、振分部材の回転によって、規制面と通過口とが交互に排出案内部と対向する。通過口と対向するタイミングで排出案内部から排出された遊技球は、振分部材の内部に進入して第一案内路に案内されやすい。規制面と対向するタイミングで排出案内部から排出された遊技球は、振分部材の内部に進入せずに複数の第二案内路のいずれかに案内されやすい。これにより、遊技球の振分け先を予測困難にできる。
【００１０】
前記第一案内路を流下する遊技球の少なくとも一部を検出可能な第一検出手段を備え、前記振分部材は、前記排出案内部から排出された遊技球のうち、前記通過口に進入する遊技球の割合が前記通過口に進入しない遊技球の割合よりも小さくなるように回転してもよい。この場合、排出案内部から排出された遊技球のうち、第一検出手段によって検出される遊技球の割合を抑制できる。
【００１１】
前記複数の第二案内路を流下する遊技球の少なくとも一部を各々検出可能な複数の第二検出手段を備え、前記第一検出手段は、遊技球を検出した場合、前記遊技機に第一の抽選を実行させる第一検出信号を出力し、前記複数の第二検出手段は、各々遊技球を検出した場合、前記遊技機に第二の抽選を実行させる第二検出信号を出力してもよい。この場合、第一検出手段によって遊技球が検出された場合と、第二検出手段によって遊技球が検出された場合とで、各々異なる抽選を遊技機に実行させることができ、遊技内容を多様化できる。
【００１２】
前記第一案内路を流下する遊技球の少なくとも一部が通過又は入賞可能な第一検出部と、前記複数の第二案内路を流下する遊技球の少なくとも一部が各々通過又は入賞可能な複数の第二検出部とを備え、前記第一検出手段は、前記第一検出部を通過又は入賞した遊技球を検出し、前記複数の第二検出手段は、各々対応する前記第二検出部を通過又は入賞した遊技球を検出してもよい。この場合、遊技球が第一検出部を通過又は入賞した場合と、遊技球が複数の第二検出部のいずれかを通過又は入賞した場合とで、各々異なる抽選を遊技機に実行させることができ、遊技内容を多様化できる。
【００１３】
前記振分部材を前記軸線を中心に回転可能であり、且つ、前記振分部材の回転方向、回転速度、回転範囲の少なくとも一つを制御可能な駆動手段を備えてもよい。この場合、振分部材を回転制御するだけで、複数の振分け先に対する遊技球の振分率を多様に変化させることができる。
【００１４】
前記駆動手段は、前記規制面と前記通過口とが交互に前記排出案内部と対向するように、前記振分部材を所定の回転範囲で一方向及び他方向に交互に回転させてもよい。この場合、振分部材を所定の回転範囲で揺動させる簡易な制御で、遊技球の振分け先を予測困難にできる。
【００１５】
本発明の第二態様に係る遊技機は、上記遊技部材を備える。これによれば、流下する遊技球の振分け先をより多様に変化する遊技機を提供できる。
【図面の簡単な説明】
【００１６】
【図１】パチンコ機１の正面図である。
【図２】パチンコ機１の電気的構成を示すブロック図である。
【図３】振分判定テーブル５００の一例を示す図である。
【図４】振分装置３０の斜視図である。
【図５】定常状態の振分装置３０の正面図である。
【図６】振分装置３０の斜め前方からみた部品展開図である。
【図７】振分装置３０の斜め後方からみた部品展開図である。
【図８】回転駆動機構３００の斜視図である。
【図９】回転駆動機構３００の側面図である。
【図１０】定常状態の回転駆動機構３００の正面図である。
【図１１】第一変位位置の回転駆動機構３００の正面図である。
【図１２】第一変位位置の振分装置３０の正面図である。
【図１３】第二変位位置の回転駆動機構３００の正面図である。
【図１４】第二変位位置の振分装置３０の正面図である。
【図１５】振分エラー検出処理のフローチャートである。
【図１６】エラー判定処理のフローチャートである。
【図１７】変形例のパチンコ機１の正面図である。
【図１８】変形例の振分エラー検出処理のフローチャートである。
【発明を実施するための形態】
【００１７】
本発明を具体化した実施の形態について、図面を参照して説明する。参照する図面は、本発明が採用しうる技術的特徴を説明するために用いられるものであり、記載されている装置の構成やフローチャートなどは、それのみに限定する趣旨ではなく、単なる説明例である。
【００１８】
＜１．パチンコ機１の機械的構成＞
図１を参照して、パチンコ機１の機械的構成を説明する。パチンコ機１は、正面略で略正方形状の遊技盤２を着脱可能な本体枠１９を備える。本体枠１９に装着された遊技盤２は、パチンコ機１の上側部分に配置される。遊技盤２は、本体枠１９と、本体枠１９の前側に装着された前面枠１８との間で保持される。前面枠１８は、透明なガラス板を保持しており、遊技盤２の前面を保護する。前面枠１８のガラス板を取り囲むように、遊技の進行中に点灯又は点滅可能な電飾部材３５が設けられている。前面枠１８の上部の両角部に、スピーカ４８がそれぞれ設けられている。
【００１９】
遊技盤２の下部に、上皿５が設けられている。上皿５は、発射装置３７（図２参照）に遊技球を供給し、且つ、賞球払出装置４９（図２参照）から払い出される賞球を受ける。上皿５の上面に、操作ボタン９が設けられている。上皿５の直下に、賞球を受ける下皿６が設けられている。下皿６の右側に、発射装置３７による遊技球の発射を調整する発射ハンドル７が設けられている。遊技盤２の前面に、ガイドレール３で囲まれた略円形の遊技領域４が形成されている。遊技領域４の略中央に、各種演出を実行する演出装置８が設けられている。
【００２０】
演出装置８の左右両側に、それぞれ普通図柄作動ゲート１０が設けられている。演出装置８の下側に、振分装置３０が設けられている。振分装置３０の右側に、大入賞口１６が設けられている。大入賞口１６は開閉部材を備え、開閉部材が開放された場合にのみ、遊技球は大入賞口１６に入賞できる。振分装置３０の下側に、左右に並ぶ二つの第一特別図柄始動口１４と、可動部材を備える第二特別図柄始動口１５とが設けられている。
【００２１】
振分装置３０の内部に、後述する第一〜第三通過口１１〜１３が配設されている（図５参照）。左側の第一特別図柄始動口１４は、第一通過口１１を通過した遊技球が入賞容易である。右側の第一特別図柄始動口１４は、第二通過口１２を通過した遊技球が入賞容易である。第二特別図柄始動口１５の開閉部材が開放されていない場合、第二特別図柄始動口１５は第三通過口１３を通過した遊技球が入賞容易である。なお、第二特別図柄始動口１５の開閉部材が開放されている場合、第三通過口１３を通過した遊技球のみならず、第二特別図柄始動口１５の近傍を流下する遊技球も入賞可能となる。
【００２２】
演出装置８の正面に、遊技を演出する様々な映像が表示されるＬＣＤ（表示画面２８）が設けられている。表示画面２８には、大当たり判定の結果を遊技者に報知するための複数のデモ図柄が表示される。複数のデモ図柄は、遊技球が第一特別図柄始動口１４及び第二特別図柄始動口１５のいずれかに入賞すると変動を開始し、その変動後に大当たり判定の結果に応じた組み合わせで確定表示される。
【００２３】
遊技盤２の右斜め下部には、図柄表示部２４（図２参照）が設けられている。図柄表示部２４は、特別図柄表示部、普通図柄表示部、特別図柄記憶数表示ＬＥＤ、及び普通図柄記憶数表示ＬＥＤを含む。特別図柄表示部は、２つの７セグメントＬＥＤからなり、大当たり判定の結果を示す特別図柄を表示する。普通図柄表示部は、ＬＥＤの点灯及び消灯によって普通当たり判定の結果を表示する。特別図柄記憶数表示ＬＥＤは、大当たり判定の結果がまだ表示されていない遊技球の個数（所謂「特別図柄作動保留球数」）を表示する。普通図柄記憶数表示ＬＥＤは、普通当たり判定の結果がまだ表示されていない遊技球の個数（所謂「普通図柄作動保留球数」）を表示する。
【００２４】
本実施形態のパチンコ機１における遊技の流れを概略的に説明する。遊技球が普通図柄作動ゲート１０を通過すると、普通当たり判定が行われる。普通当たり判定において当たりと判定された場合、普通当たり遊技が実行される。普通当たり遊技では、第二特別図柄始動口１５の開閉部材が所定時間開放される。遊技球が第一特別図柄始動口１４に入賞すると、第一特別図柄に基づく大当たり判定（以下、第一大当たり判定）が行われる。遊技球が第二特別図柄始動口１５に入賞すると、第二特別図柄に基づく大当たり判定（以下、第二大当たり判定）が行われる。第一、第二大当たり判定のいずれかにおいて当たりと判定されると、大当たり遊技が実行される。大当たり遊技では、大入賞口１６が所定回数開放される。開放された大入賞口１６に遊技球が入賞すると、賞球が遊技者に付与される。
【００２５】
本実施形態では、大当たり遊技時における大入賞口１６の開放回数（所謂、ラウンド数）として、１６ラウンド及び４ラウンドの２パターンが設けられている。第二大当たり判定において当たりと判定された場合は、第一大当たり判定において当たりと判定された場合よりも、１６ラウンドの大当たり遊技が実行される確率が高い。つまり、第二特別図柄は、第一特別図柄よりも遊技者に有利な特別図柄（換言すると、第二特別図柄始動口１５は第一特別図柄始動口１４よりも有利な始動口）である。
【００２６】
＜２．パチンコ機１の電気的構成＞
図２を参照して、パチンコ機１の電気的構成を説明する。パチンコ機１の制御部４０は、主基板４１、サブ制御基板５８、ランプドライバ基板４６、演出制御基板４３、払出制御基板４５、及び中継基板４７を主に備える。
【００２７】
主基板４１は、パチンコ機１の主制御を司る。主基板４１の主基板ＣＰＵユニット５０には、各種の演算処理を行うＣＰＵ５１と、データを一時的に記憶するＲＡＭ５２と、制御プログラム等を記憶したＲＯＭ５３とが設けられている。主基板ＣＰＵユニット５０には、割込信号発生回路５７が接続されている。主基板４１は、割込信号発生回路５７から割込信号が入力される毎にプログラムを実行する。
【００２８】
主基板４１は、Ｉ／Ｏインタフェイス５４を介してサブ制御基板５８、払出制御基板４５、中継基板４７、出力ポート５５、第一検出スイッチ７１、第二検出スイッチ７２、第三検出スイッチ７３、第一始動口スイッチ７４、第二始動口スイッチ７５、及び第三始動口スイッチ７６に接続されている。出力ポート５５は、図示外の遊技場管理用コンピュータにパチンコ機１の情報を出力する。
【００２９】
第一検出スイッチ７１は、第一通過口１１を通過した遊技球を検出し、検出信号を主基板４１に出力する。第二検出スイッチ７２は、第二通過口１２を通過した遊技球を検出し、検出信号を主基板４１に出力する。第三検出スイッチ７３は、第三通過口１３を通過した遊技球を検出し、検出信号を主基板４１に出力する。第一始動口スイッチ７４は、左側の第一特別図柄始動口１４に入賞した遊技球を検出し、検出信号を主基板４１に出力する。第二始動口スイッチ７５は、右側の第一特別図柄始動口１４に入賞した遊技球を検出し、検出信号を主基板４１に出力する。第三始動口スイッチ７６は、第二特別図柄始動口１５に入賞した遊技球を検出し、検出信号を主基板４１に出力する。第一始動口スイッチ７４及び第二始動口スイッチ７５が出力する検出信号は、ＣＰＵ５１に第一特別図柄に基づく大当たり判定を実行させる信号として機能する。第三始動口スイッチ７６が出力する検出信号は、ＣＰＵ５１に第二特別図柄に基づく大当たり判定を実行させる信号として機能する。
【００３０】
サブ制御基板５８は、ＣＰＵ５８１、ＲＡＭ５８２、及びＲＯＭ５８３を備え、ランプドライバ基板４６、演出制御基板４３、操作ボタン９、スピーカ４８、及び後述の振分モータ３３０に接続している。サブ制御基板５８は、主基板４１から送信されるコマンドに従って、演出に関する総合的な制御を行う。ランプドライバ基板４６は、電飾部材３５の発光制御を行う。演出制御基板４３は、ＣＰＵ４３ａ等を備え、サブ制御基板５８から受信するコマンドに従って表示画面２８の表示を制御する。払出制御基板４５は、ＣＰＵ４５ａ等を備える。払出制御基板４５は、主基板４１から送信されるコマンドに応じて賞球払出装置４９の動作を制御し、所定数の遊技球を払い出させる。
【００３１】
中継基板４７には、普通電動役物開閉ソレノイド７７、普通図柄作動スイッチ７０、大入賞口開閉ソレノイド７８、大入賞口スイッチ７９、及び図柄表示部２４が接続されている。普通電動役物開閉ソレノイド７７は、普通当たり遊技中に第二特別図柄始動口１５の開閉部材を開閉する。普通図柄作動スイッチ７０は、普通図柄作動ゲート１０を通過した遊技球を検出する。大入賞口開閉ソレノイド７８は、大当たり遊技中に大入賞口１６の開閉部材を開閉する。大入賞口スイッチ７９は、大入賞口１６に入賞した遊技球を検出する。
【００３２】
電源基板４２は、主基板４１及び発射装置３７に接続されており、各基板及び発射装置３７に直流の安定化した電力を供給する。発射装置３７は、一定間隔（パチンコ機１では０．６秒）毎に１個ずつ遊技球を遊技領域４へ発射する。
【００３３】
＜３．振分判定テーブル５００＞
図３を参照して、振分判定テーブル５００を説明する。振分判定テーブル５００は、サブ制御基板５８のＲＯＭ５８３に記憶されている。振分判定テーブル５００は、振分装置３０に設けられた３つの検出領域（具体的には、第一〜第三通過口１１〜１３）ごとに、振分率の大きさに応じて不正操作の可能性を段階的に示す異常レベルを定める。振分率は、第一〜第三通過口１１〜１３のいずれかを通過した遊技球の総数のうち、第一〜第三通過口１１〜１３のそれぞれを通過した遊技球の割合である。
【００３４】
製造者は、あらかじめ振分装置３０の第一〜第三通過口１１〜１３の振分率を、計算、シミュレーション、実射試験などによって、適正な遊技状態における理論上の期待値（以下、基準値）を特定する。一例として、第一通過口１１及び第二通過口１２の振分率の基準値をそれぞれ３５％、第三通過口１３の振分率の基準値を３０％とする。実際の振分率が基準値に対する許容誤差を超えた場合に、振分装置３０で遊技球の振分け先に異常な偏り（以下、振分エラー）が生じたものとみなされる。
【００３５】
具体的には、図３に示すように、実際の第一通過口１１の振分率が、第一通過口１１の基準値に対して上下１０％の許容誤差に収まる場合、異常レベルは「０」である。実際の第一通過口１１の振分率が許容誤差から乖離するほど、対応する異常レベルが「１」、「２」の順に大きくなる。第二通過口１２についても同様である。
【００３６】
第一特別図柄よりも有利な第二特別図柄は、遊技者及びホールの利益バランスに対する影響が大きい。本実施形態では、第三通過口１３を通過する遊技球は、第二特別図柄始動口１５に入賞しやすい。したがって、第三通過口１３は第一通過口１１及び第二通過口１２よりも厳密に異常レベルが設定されている。具体的には、実際の第三通過口１３の振分率が、第三通過口１３の基準値に対して上下５％の許容誤差に収まる場合、異常レベルは「０」である。実際の第一通過口１１の振分率が許容誤差から乖離するほど、対応する異常レベルが「１」〜「３」の順に大きくなる。
【００３７】
振分判定テーブル５００は、各異常レベルに対応するエラーの報知態様が定められている。本実施形態の報知態様は、各異常レベルに対応して、電飾部材３５を点滅又は点灯させる発光色を示す。異常レベルが「０」である場合、電飾部材３５の発光色は正常状態を示す「白」である。異常レベルが「１」〜「３」である場合、電飾部材３５の発光色はそれぞれ異常状態を示す「青」、「黄」、「赤」である。つまり、異常レベルが高いほど、電飾部材３５はより視覚的な印象が強い色で点灯又は点滅する。
【００３８】
＜４．振分装置３０＞
図４〜図７を参照して、振分装置３０の全体構成を説明する。以下の説明では、図４の左下側、右上側、左上側、右下側、上側、下側を、それぞれ振分装置３０の前側、後側、左側、右側、上側、下側とする。振分装置３０の各方向は、パチンコ機１の各方向と一致する。
【００３９】
図４に示すように、振分装置３０は、球案内部１００、取付板１２０、機構設置部１４０、後部材１６０、回転駆動機構３００を備える。球案内部１００は、取付板１２０の前面に固定される。機構設置部１４０は、取付板１２０の背面に固定される。後部材１６０は、機構設置部１４０の後部に固定される。機構設置部１４０及び後部材１６０は、遊技盤２（図１参照）に形成された取付穴（図示外）に前側から挿入された状態で、取付板１２０が遊技盤２の前面に固定される。これにより、球案内部１００が遊技領域４に配置される。
【００４０】
図４及び図５に示すように、球案内部１００は、正面視で左右対称に形成されており、上下左右方向に延びる前面１０１と、前面１０１から後方に延びる複数の壁部１０２〜１１３とを含む。球案内部１００と取付板１２０との間に、入球口８０、排出口８１〜８５、連通口８６〜８９、設置部９０、流路９１〜９５、分岐部９９、及び先述の第一〜第三通過口１１〜１３が、以下に説明するように左右対称に形成される。
【００４１】
入球口８０は、球案内部１００の上端中央に設けられた、遊技領域４を流下する遊技球が入球可能な開口部である。壁部１０２，１０３は、それぞれ、入球口８０から左下側及び右下側に延びる。壁部１０２，１０３の各上端部は、入球口８０から下側に延びる流路９１を形成する。流路９１の下端部（排出案内部９１Ａ）は、後述の分岐部９９に接続している。
【００４２】
壁部１０２の右下側には、壁部１０２に沿って左下側に延びる壁部１１０が設けられる。壁部１０３の左下側には、壁部１０３に沿って右下側に延びる壁部１１１が設けられる。壁部１１０，１１１は、入球口８０よりも左右方向に長い間隔を空けて、左右に並んで配置されている。壁部１１０，１１１によって挟まれた領域が、振分可動体３１０が回転自在に設置される設置部９０である。振分可動体３１０は、遊技盤２の前面に対して垂直な軸部３１９を中心に回転可能な回転体である。設置部９０では、正面視で振分可動体３１０の輪郭と壁部１１０，１１１の各上端部とが接している。
【００４３】
壁部１０２，１１０の間に、分岐部９９から左下側に延びる流路９２が形成される。壁部１０２，１１０の各下端部の下側に、それぞれ上下方向に延びる壁部１０４，１０５が左右に並んで設けられる。壁部１０４，１０５によって挟まれた領域に、第一検出スイッチ７１の検出穴７１Ａ（図６参照）が配設される。壁部１０４，１０５によって挟まれた領域が、第一通過口１１である。流路９２の下端部と第一通過口１１とは、互いに上下方向に対向する。壁部１０２の下端部と壁部１０４の上端部との隙間が、排出口８４である。壁部１１０の下端部と壁部１０５の上端部との隙間が、連通口８６である。
【００４４】
壁部１０３，１１１の間に、分岐部９９から右下側に延びる流路９３が形成される。壁部１０３，１１１の各下端部の下側に、それぞれ上下方向に延びる壁部１０６，１０７が左右に並んで設けられる。壁部１０６，１０７によって挟まれた領域に、第二検出スイッチ７２の検出穴７２Ａ（図６参照）が配設される。壁部１０６，１０７によって挟まれた領域が、第二通過口１２である。流路９３の下端部と第二通過口１２とは、互いに上下方向に対向する。壁部１０３の下端部と壁部１０６の上端部との隙間が、排出口８５である。壁部１１１の下端部と壁部１０７の上端部との隙間が、連通口８８である。
【００４５】
壁部１１０の下端部から右下側に向けて、壁部１１２が延びている。流路９４は、連通口８６から壁部１０５，１１２の間を通って下側に延びている。壁部１１１の下端部から左下側に向けて、壁部１１３が延びている。流路９５は、連通口８８から壁部１０７，１１３の間を通って下側に延びている。壁部１１２，１１３の間に、設置部９０から下側に延びる流路９６が形成される。
【００４６】
壁部１１２，１１３の各下端部の下側に、それぞれ上下方向に延びる壁部１０８，１０９が左右に並んで設けられる。壁部１０８，１０９によって挟まれた領域に、第三検出スイッチ７３の検出穴７３Ａ（図６参照）が配設される。壁部１０８，１０９によって挟まれた領域が、第三通過口１３である。流路９６の下端部と第三通過口１３とは、互いに上下方向に対向する。壁部１０８，１０９の各下端部の隙間が、排出口８３である。壁部１１２の下端部と壁部１０８の上端部との隙間が、連通口８７である。壁部１１３の下端部と壁部１０９の上端部との隙間が、連通口８９である。
【００４７】
壁部１０４は、壁部１０５よりも下側に延びている。壁部１０４の下端部と壁部１０８との隙間が、排出口８１である。排出口８１は、第一通過口１１の直下に設けられ、且つ流路９４の下端部に連通する。壁部１０６は、壁部１０７よりも下側に延びている。壁部１０６の下端部と壁部１０９との隙間が、排出口８２である。排出口８２は、第二通過口１２の直下に設けられ、且つ流路９５の下端部に連通する。
【００４８】
図６及び図７に示すように、取付板１２０は正面視で略正方形状の板状本体１２１を有する。板状本体１２１の上側部分には、後述の回転板３１１が内部に保持される筒状の取付部１２２が設けられている。取付部１２２の後端部には、後述の軸部３１９が挿通する軸支部１２９が設けられている。板状本体１２１の下側部分には、第一〜第三検出スイッチ７１〜７３の後部がそれぞれ嵌め込まれる三つの取付穴１２３〜１２５が設けられている。三つの取付穴１２３〜１２５に嵌め込まれた第一〜第三検出スイッチ７１〜７３の検出穴７１Ａ〜７３Ａは、それぞれ第一〜第三通過口１１〜１３に配置される（図５参照）。
【００４９】
機構設置部１４０は、前側に開口する箱状の本体部１４１を有する。本体部１４１の内部領域１４２に、後述のリンク部材３２０が収容される。本体部１４１の後端部上側に、内部領域１４２を後方に露出させる開口部１４３が形成されている。本体部１４１の背面における開口部１４３の上下両側に、それぞれモータ固定部１４８及び軸支部１４９が設けられている。モータ固定部１４８は、後述の振分モータ３３０を固定する部材である。軸支部１４９は、後述の軸部３５１の前端部を軸支する孔部である。
【００５０】
後部材１６０は、前側に開口する箱状の本体部１６１を有する。本体部１６１の内部領域１６２に、後述の振分モータ３３０及びリンク部材３４０，３５０が収容される。本体部１６１の上端側に、後述の軸部３５１の後端部を軸支する孔部である軸支部１６９が設けられている。
【００５１】
＜５．回転駆動機構３００＞
図６〜図１０に示すように、回転駆動機構３００は、振分可動体３１０、リンク部材３２０，３４０，３５０、及び振分モータ３３０を備える。図８〜図１０に示す振分可動体３１０は、回転時の基準位置（以下、定常状態）にある。以下の説明では、定常状態の振分可動体３１０をもとに、各部の位置関係を説明する。
【００５２】
振分可動体３１０は、回転板３１１、前板３１２、規制面３１３，３１４、及び軸部３１９を有する。回転板３１１は円形板であり、背面中央から後方に軸部３１９が突出している。回転板３１１が取付板１２０の取付部１２２に保持された状態で、軸部３１９の後端部は取付板１２０の軸支部１２９よりも後方に突出する。前板３１２は、回転板３１１の前側に配置され、回転板３１１の上半分に対応する半円形状である。
【００５３】
前板３１２と回転板３１１との間に、通過口３１５及び規制面３１３，３１４が設けられている。通過口３１５は、遊技球が振分可動体３１０の内部に進入可能な開口部である。規制面３１３は、通過口３１５の上端左縁部から左下側に延びている。規制面３１４は、通過口３１５の上端右縁部から右下側に延びている。規制面３１３，３１４は、遊技球が振分可動体３１０の内部に進入するのを妨げる壁面である。通過口３１５及び規制面３１３，３１４は、設置部９０に配置される（図５参照）。なお、前板３１２には、振分可動体３１０の内部を通過する遊技球を前側に露出させるスリットである窓部３１２Ａが形成されている。
【００５４】
リンク部材３２０の両端部に、連結部３２１及び軸部３２２が設けられている。連結部３２１は、取付板１２０の軸支部１２９から後方に突出する軸部３１９が挿入連結される。軸部３２２は、正面視で連結部３２１とは異なる位置に設けられ、且つ連結部３２１よりも後方に突出する。振分モータ３３０は、振分可動体３１０を回転させる動力を供給するステッピングモータである。リンク部材３４０の両端部に、連結部３４１及び軸部３４２が設けられている。連結部３４１は、振分モータ３３０の出力軸が挿入連結される。軸部３４２は、正面視で連結部３４１とは異なる位置に設けられ、且つ連結部３４１よりも後方に突出する。
【００５５】
リンク部材３５０は、上下方向に延びる板状部材であり、軸部３５１、軸受部３５２、摺動溝３５３を有する。軸部３５１は、リンク部材３５０の上端部に設けられ、且つ前後方向に突出する。軸受部３５２は、リンク部材３５０の長手方向略中央に設けられた、下方に開口するコの字型部材である。リンク部材３２０の軸部３２２は、機構設置部１４０の開口部１４３を介して後部材１６０の内部領域１６２に進入し、軸受部３５２の内部に配置される。摺動溝３５３は、リンク部材３５０の下側部分に設けられた、リンク部材３５０の長手方向に延びる溝部である。リンク部材３４０の軸部３４２は、摺動溝３５３に挿入される。
【００５６】
振分モータ３３０の上側には、振分可動体３１０に伴って回転する検出板（図示外）を検出可能な反射センサ３３１が設けられている。振分可動体３１０が定常状態にある場合、反射センサ３３１は検出板を検出する。サブ制御基板５８のＣＰＵ５８１は、反射センサ３３１が出力する検出信号に基づいて、振分可動体３１０の回転位置を特定できる。
【００５７】
＜６．振分可動体３１０の動作態様＞
図５〜図１４を参照して、振分可動体３１０の動作態様と、球案内部１００における遊技球の流下態様とを説明する。図５、図１２、図１４に示すように、遊技領域４を流下した遊技球が入球口８０に入球すると、入球した遊技球は流路９１を流下する。流路９１を流下した遊技球は、流路９１の下端部である排出案内部９１Ａを経由して、分岐部９９に排出される。このとき、排出案内部９１Ａは、遊技球を振分可動体３１０に向けて下側に排出する。
【００５８】
図５に示すように、振分可動体３１０が定常状態にある場合、通過口３１５は排出案内部９１Ａと上下方向に対向する。したがって、分岐部９９に排出された遊技球は、通過口３１５から振分可動体３１０の内部に進入しやすい。また、規制面３１３と壁部１１０との隙間は、遊技球の直径よりも小さい。規制面３１４と壁部１１１との隙間は、遊技球の直径よりも小さい。したがって、振分可動体３１０の内部に進入しなかった遊技球は、設置部９０に進入することなく、流路９２，９３のいずれかに案内される。
【００５９】
図６〜図１０に示すように、定常状態の振分可動体３１０において、振分モータ３３０がリンク部材３４０を正面視で時計回り方向に回転すると、軸部３４２が摺動溝３５３内を移動しながら、リンク部材３５０を軸部３５１を中心に時計回り方向に回転させる。軸受部３５２に配置されている軸部３２２も時計回り方向に回転し、さらに連結部３２１に連結された軸部３１９も時計回り方向に回転する。これにより振分可動体３１０は、図１１及び図１２に示す回転位置（以下、第一変位位置）まで正面視で時計回り方向に回転する。振分可動体３１０が第一変位位置から定常状態まで回転する場合は、上記と逆の動作が実行される。
【００６０】
図１２に示すように、振分可動体３１０が第一変位位置にある場合、規制面３１３は排出案内部９１Ａと上下方向に対向する。規制面３１３と壁部１１０との隙間は、遊技球の直径よりも小さい。壁部１１１は、通過口３１５の開口幅が遊技球の直径よりも小さくなるように、通過口３１５の一部を上側から塞ぐ。したがって、分岐部９９に排出された遊技球は、規制面３１３によって通過口３１５に進入することが妨げられる。振分可動体３１０の内部に進入しなかった遊技球は、設置部９０に進入することなく、流路９２，９３のいずれかに案内される。
【００６１】
図６〜図１０に示すように、定常状態の振分可動体３１０において、振分モータ３３０がリンク部材３４０を正面視で反時計回り方向に回転すると、軸部３４２が摺動溝３５３内を移動しながら、リンク部材３５０を軸部３５１を中心に反時計回り方向に回転させる。これに伴って、軸受部３５２に配置されている軸部３２２も反時計回り方向に回転し、さらに連結部３２１に連結された軸部３１９も反時計回り方向に回転する。これにより振分可動体３１０は、図１３及び図１４に示す回転位置（以下、第二変位位置）まで正面視で反時計回り方向に回転する。振分可動体３１０が第二変位位置から定常状態まで回転する場合は、上記と逆の動作が実行される。
【００６２】
図１４に示すように、振分可動体３１０が第二変位位置にある場合、規制面３１４は排出案内部９１Ａと上下方向に対向する。規制面３１４と壁部１１１との隙間は、遊技球の直径よりも小さい。壁部１１０は、通過口３１５の開口幅が遊技球の直径よりも小さくなるように、通過口３１５の一部を上側から塞ぐ。したがって、分岐部９９に排出された遊技球は、規制面３１４によって通過口３１５に進入することが妨げられる。振分可動体３１０の内部に進入しなかった遊技球は、設置部９０に進入することなく、流路９２，９３のいずれかに案内される。
【００６３】
つまり、振分可動体３１０の回転位置が定常状態に近いほど、遊技球が通過口３１５に進入しやすい。通過口３１５に進入した遊技球は、振分可動体３１０の内部を通過して、排出案内部９１Ａとは反対側（つまり、下側）に排出されて、流路９６を流下する。流路９６を流下した遊技球は、流路９６と上下方向に対向する第三通過口１３に進入しやすい。第三通過口１３に進入した遊技球は、第三検出スイッチ７３によって検出されたのち、排出口８３から振分装置３０の外部（つまり、遊技領域４）に排出される。排出された遊技球は、第三通過口１３の直下に設けられた第二特別図柄始動口１５（図１参照）に入賞しやすい。
【００６４】
なお、流路９６を流下する遊技球の挙動によっては、遊技球が連通口８７を介して流路９４に流入したり、遊技球が連通口８９を介して流路９５に流入したりする場合がある。これらの場合、遊技球は排出口８１，８２のいずれかを介して、振分装置３０の外部に排出される。
【００６５】
一方、振分可動体３１０の回転位置が第一、第二変位状態のいずれかに近いほど、遊技球は流路９２，９３のいずれかに振り分けられやすい。流路９２を流下した遊技球は、主として、流路９２と上下方向に対向する第一通過口１１に進入する。第一通過口１１に進入した遊技球は、第一検出スイッチ７１によって検出されたのち、排出口８１から振分装置３０の外部に排出される。排出された遊技球は、第一通過口１１の直下に設けられた左側の第一特別図柄始動口１４（図１参照）に入賞しやすい。
【００６６】
なお、流路９２を流下する遊技球の挙動によっては、遊技球が排出口８４を介して振分装置３０の外部に排出されたり、遊技球が連通口８６を介して流路９４に流入したりする場合がある。流路９４に流入した遊技球は、主として、排出口８１から振分装置３０の外部に排出される。ただし、流路９４を流下する遊技球の挙動によっては、遊技球が連通口８７を介して第三通過口１３に進入する場合がある。
【００６７】
流路９３を流下した遊技球は、主として、流路９３と上下方向に対向する第二通過口１２に進入する。第二通過口１２に進入した遊技球は、第二検出スイッチ７２によって検出されたのち、排出口８２から振分装置３０の外部に排出される。排出された遊技球は、第二通過口１２の直下に設けられた右側の第一特別図柄始動口１４（図１参照）に入賞しやすい。
【００６８】
なお、流路９３を流下する遊技球の挙動によっては、遊技球が排出口８５を介して振分装置３０の外部に排出されたり、遊技球が連通口８８を介して流路９５に流入したりする場合がある。流路９５に流入した遊技球は、主として、排出口８２から振分装置３０の外部に排出される。ただし、流路９５を流下する遊技球の挙動によっては、遊技球が連通口８９を介して第三通過口１３に進入する場合がある。
【００６９】
入球口８０に入球した遊技球のうち、流路９４を介して排出口８１から排出された遊技球、及び流路９５を介して排出口８２から排出された遊技球は、第一特別図柄始動口１４の横を通って第二特別図柄始動口１５に向けて流下する。このとき、第二特別図柄始動口１５の開閉部材が開放されていれば、遊技球は第二特別図柄始動口１５に入賞する可能性がある。
【００７０】
上記のように振分モータ３３０は、振分可動体３１０を軸部３１９を中心に回転可能である。さらに振分モータ３３０は、リンク部材３４０を回転制御することで、振分可動体３１０の回転方向、回転速度、回転範囲の少なくとも一つを制御可能である。本実施形態では、ＣＰＵ５８１は振分モータ３３０を制御して、振分可動体３１０を交互に定常状態から第一変位置と第二変位位置とに回転移動させる。これにより、規制面３１３，３１４と通過口３１５とが交互に排出案内部９１Ａと対向するように、振分可動体３１０が軸部３１９を中心に回転する。
【００７１】
回転する振分可動体３１０は、入球口８０に入球した遊技球を、第一〜第三通過口１１〜１３のいずれかに向けて振分け可能である。振分可動体３１０の回転位置が定常状態に近いほど、遊技球は通過口３１５に進入して第三通過口１３を通過しやすい。振分可動体３１０の回転位置が第一、第二変位状態のいずれかに近いほど、遊技球は第一通過口１１及び第二通過口１２のいずれかを通過しやすい。
【００７２】
さらに、ＣＰＵ５８１は振分モータ３３０を制御して、排出案内部９１Ａから排出された遊技球のうち、通過口３１５に進入する遊技球の割合が通過口３１５に進入しない遊技球の割合よりも小さくなるように、振分可動体３１０の回転速度及び回転範囲を制御する。したがって、排出案内部９１Ａから排出された遊技球は、第三通過口１３よりも、第一通過口１１及び第二通過口１２のいずれかを通過しやすい。つまり、排出案内部９１Ａから排出された遊技球は、第二特別図柄始動口１５よりも第一特別図柄始動口１４に入賞しやすい。遊技者に有利な第二特別図柄に基づく大当たり判定は、第一特別図柄に基づく大当たり判定よりも実行頻度が抑制される。
【００７３】
第二特別図柄始動口１５に入賞した遊技球を検出した第三始動口スイッチ７６は、パチンコ機１に第二特別図柄に基づく大当たり判定を実行させる検出信号を出力する。第一特別図柄始動口１４に入賞した遊技球を検出した第一始動口スイッチ７４及び第二始動口スイッチ７５は、パチンコ機１に第一特別図柄に基づく大当たり判定を実行させる検出信号を各々出力する。したがって、第一特別図柄始動口１４に遊技球が入賞した場合（つまり、第一始動口スイッチ７４及び第二始動口スイッチ７５のいずれかが遊技球を検出した場合）と、第二特別図柄始動口１５に遊技球が入賞した場合（つまり、第三始動口スイッチ７６が遊技球を検出した場合）とで、各々異なる抽選をパチンコ機１に実行させることができ、遊技内容を多様化できる。
【００７４】
＜７．振分装置３０の作用効果の例示＞
本実施形態の振分装置３０では、遊技領域４を流下する遊技球が入球口８０に入球すると、遊技球は流路９１を流下して分岐部９９に排出される。分岐部９９に排出された遊技球は、遊技盤２の前面に対して垂直な軸線を中心に回転可能な振分可動体３１０によって、分岐部９９から各々異なる方向に延びる三つの流路９２，９３，９６のいずれかに振分けられる。したがって、流下する遊技球の振分け先をより多様に変化させることができる。
【００７５】
振分可動体３１０の回転によって、規制面３１３，３１４と通過口３１５とが交互に排出案内部９１Ａと対向する。通過口３１５と対向するタイミングで排出案内部９１Ａから排出された遊技球は、振分可動体３１０の内部に進入して流路９６に案内されやすい。規制面３１３，３１４と対向するタイミングで排出案内部９１Ａから排出された遊技球は、振分可動体３１０の内部に進入せずに流路９２，９３のいずれかに案内されやすい。これにより、遊技球の振分け先を予測困難にできる。
【００７６】
第三検出スイッチ７３は、流路９６を流下する遊技球の少なくとも一部を検出可能である。振分可動体３１０は、排出案内部９１Ａから排出された遊技球のうち、通過口３１５に進入する遊技球の割合が通過口３１５に進入しない遊技球の割合よりも小さくなるように回転する。したがって、排出案内部９１Ａから排出された遊技球のうち、第三検出スイッチ７３によって検出される遊技球の割合を抑制できる。
【００７７】
振分モータ３３０は、振分可動体３１０を軸部３１９を中心に回転可能であり、且つ、振分可動体３１０の回転方向、回転速度、回転範囲の少なくとも一つを制御可能である。したがって、振分可動体３１０を回転制御するだけで、複数の振分け先（つまり、三つの流路９２，９３，９６）に対する遊技球の振分率を多様に変化させることができる。
【００７８】
振分モータ３３０は、規制面３１３，３１４と通過口３１５とが交互に排出案内部９１Ａと対向するように、振分可動体３１０を所定の回転範囲で一方向及び他方向に交互に回転させる。したがって、振分可動体３１０を所定の回転範囲で揺動させる簡易な制御で、遊技球の振分け先を予測困難にできる。
【００７９】
＜８．振分エラー検出処理＞
図１５及び図１６を参照して、サブ制御基板５８で実行される振分エラー検出処理を説明する。サブ制御基板５８では、パチンコ機１に電源が投入されるか、又は図示外のリセットスイッチが押されると（つまり、パチンコ機１が初期化されると）、ＣＰＵ５８１がＲＯＭ５８３に記憶されているプログラムに従って、振分エラー検出処理を開始する。
【００８０】
図１５に示すように、振分エラー検出処理では、まずＲＡＭ５８２に記憶されている検出カウンタＫ１〜Ｋ３がそれぞれ「０」にリセットされる（Ｓ１）。検出カウンタＫ１は、第一検出スイッチ７１によって検出された遊技球の数量（第一個別検出数）を示すカウンタである。検出カウンタＫ２は、第二検出スイッチ７２によって検出された遊技球の数量（第二個別検出数）を示すカウンタである。検出カウンタＫ３は、第三検出スイッチ７３によって検出された遊技球の数量（第三個別検出数）を示すカウンタである。
【００８１】
次いで、第一検出スイッチ７１がＯＮであるか否かが判断される（Ｓ３）。主基板４１から第一検出コマンドを受信している場合、第一検出スイッチ７１がＯＮであると判断される（Ｓ３：ＹＥＳ）。第一検出コマンドは、第一検出スイッチ７１によって遊技球が検出される毎に、主基板４１からサブ制御基板５８に送信されるコマンドである。この場合、検出カウンタＫ１が「１」加算される（Ｓ５）。
【００８２】
第一検出スイッチ７１がＯＦＦである場合（Ｓ３：ＮＯ）、又はＳ５の実行後、第二検出スイッチ７２がＯＮであるか否かが判断される（Ｓ７）。主基板４１から第二検出コマンドを受信している場合、第二検出スイッチ７２がＯＮであると判断される（Ｓ７：ＹＥＳ）。第二検出コマンドは、第二検出スイッチ７２によって遊技球が検出される毎に、主基板４１からサブ制御基板５８に送信されるコマンドである。この場合、検出カウンタＫ２が「１」加算される（Ｓ９）。
【００８３】
第二検出スイッチ７２がＯＦＦである場合（Ｓ７：ＮＯ）、又はＳ９の実行後、第三検出スイッチ７３がＯＮであるか否かが判断される（Ｓ１１）。主基板４１から第三検出コマンドを受信している場合、第三検出スイッチ７３がＯＮであると判断される（Ｓ１１：ＹＥＳ）。第三検出コマンドは、第三検出スイッチ７３によって遊技球が検出される毎に、主基板４１からサブ制御基板５８に送信されるコマンドである。この場合、検出カウンタＫ３が「１」加算される（Ｓ１３）。
【００８４】
第三検出スイッチ７３がＯＦＦである場合（Ｓ１１：ＮＯ）、又はＳ１３の実行後、総検出数Ｔが算出される（Ｓ１５）。総検出数Ｔは、第一〜第三検出スイッチ７１〜７３によって検出された遊技球の総数である。Ｓ１５では、検出カウンタＫ１〜Ｋ３が各々示す第一〜第三個別検出数の和が、総検出数Ｔに算出される。
【００８５】
次いで、算出された総検出数Ｔが、規定値以上であるか否かが判断される（Ｓ１７）。Ｓ１７の規定値は、振分装置３０の振分エラーを適切に判定するのに必要なサンプリング数を示し、例えば「１００」である。総検出数Ｔが規定値以上である場合（Ｓ１７：ＹＥＳ）、総検出数Ｔが必要なサンプリング数に達しているため、後述のエラー判定処理が実行される（Ｓ１９）。一方、総検出数Ｔが規定値未満である場合（Ｓ１７：ＮＯ）、総検出数Ｔが必要なサンプリング数に達していないため、正常状態が報知される（Ｓ２１）。具体的には、異常レベルが「０」である場合と同様に、電飾部材３５が「白」で点滅又は点灯される（図３参照）。Ｓ１９又はＳ２１の実行後、処理はＳ３に戻る。
【００８６】
図１６に示すように、エラー判定処理（Ｓ１９）では、第一通過口１１の振分率Ｆ１が算出される（Ｓ３１）。具体的には、総検出数Ｔを基準として、検出カウンタＫ１が示す第一個別検出数の割合を百分率（％）で表した値が、振分率Ｆ１として算出される。算出された振分率Ｆ１に対応する異常レベルＬ１が、図３に示す振分判定テーブル５００を参照して特定される（Ｓ３３）。
【００８７】
同様に、総検出数Ｔ及び検出カウンタＫ２が示す第二個別検出数に基づいて、第二通過口１２の振分率Ｆ２が算出される（Ｓ３５）。算出された振分率Ｆ２に対応する異常レベルＬ２が、振分判定テーブル５００を参照して特定される（Ｓ３７）。総検出数Ｔ及び検出カウンタＫ３が示す第三個別検出数に基づいて、第三通過口１３の振分率Ｆ３が算出される（Ｓ３９）。算出された振分率Ｆ３に対応する異常レベルＬ３が、振分判定テーブル５００を参照して特定される（Ｓ４１）。
【００８８】
特定された異常レベルＬ１〜Ｌ３のいずれかが、規定値以上であるか否かが判断される（Ｓ４３）。Ｓ４３の規定値は、振分装置３０で振分エラーが発生しているとみなす異常レベルの下限値を示し、例えば「１」である。異常レベルＬ１〜Ｌ３のいずれかが規定値以上である場合（Ｓ４３：ＹＥＳ）、異常レベルＬ１〜Ｌ３のうちで最も大きい異常レベルに基づいて、振分エラーが発生していることを示すエラー報知が実行される（Ｓ４５）。具体的には、振分判定テーブル５００を参照して、最も大きい異常レベルに対応する報知態様が特定される。特定された報知態様が示す色で、電飾部材３５が点滅又は点灯される。
【００８９】
異常レベルＬ１〜Ｌ３の全てが規定値未満である場合（Ｓ４３：ＮＯ）、振分エラーが発生していないため、ステップＳ２１と同様に正常状態が報知される。Ｓ４５又はＳ４７の実行後、処理は振分エラー検出処理（図５）に戻る。
【００９０】
本実施形態における電飾部材３５の発光態様を説明する。本実施形態では、パチンコ機１で遊技の進行中に、電飾部材３５は通常白色で点滅又は点灯する。振分エラー検出処理（図１５）では、パチンコ機１の電源投入後又はリセット後、総検出数Ｔが「１００」に達するまでは、正常状態が報知される（Ｓ１７：ＮＯ、Ｓ２１）。このとき、電飾部材３５は白色又は点灯で点滅するため、電飾部材３５の発光態様は通常時から変化しない。
【００９１】
例えば、総検出数Ｔが「１００」に達した時点の振分率Ｆ１〜Ｆ３がそれぞれ「２８％」、「３９％」、「３３％」である場合、振分判定テーブル５００を参照することで、異常レベルＬ１〜Ｌ３はいずれも「０」に特定される（Ｓ３１〜Ｓ４１）。この場合、異常レベルＬ１〜Ｌ３は全て「１」未満であるため、正常状態が報知される（Ｓ４３：ＮＯ、Ｓ４７）。このとき、電飾部材３５は白色で点滅又は点灯するため、電飾部材３５の発光態様は通常時から変化しない。
【００９２】
例えば、総検出数Ｔが「２００」に達した時点の振分率Ｆ１〜Ｆ３がそれぞれ「１８％」、「３２％」、「５０％」である場合、振分判定テーブル５００を参照することで、異常レベルＬ１〜Ｌ３はそれぞれ「１」、「０」、「３」に特定される（Ｓ３１〜Ｓ４１）。この場合、異常レベルＬ１，Ｌ３は「１」以上であるため、エラー報知が実行される（Ｓ４３：ＹＥＳ、Ｓ４５）。このとき、電飾部材３５は最大の異常レベルＬ３「３」に対応する黄色で点滅又は点灯するため、電飾部材３５の発光態様は通常時から変化する。例えばホールの管理者は、パチンコ機１の振分装置３０で振分エラーが発生していることを視覚的に認識できる。
【００９３】
＜９．パチンコ機１の作用効果の例示＞
本実施形態のパチンコ機１では、振分装置３０の入球口８０に入球した遊技球は、第一〜第三通過口１１〜１３のいずれかに振分けられる可能性がある。所定のタイミングから起算して、第一〜第三通過口１１〜１３のいずれかを通過した遊技球の合計である総検出数Ｔと、各第一〜第三通過口１１〜１３を通過した遊技球の数量である第一〜第三個別検出数とがカウントされる（Ｓ１〜Ｓ１５）。カウントされた総検出数Ｔと第一〜第三個別検出数とに基づいて、各第一〜第三通過口１１〜１３を通過した遊技球の割合である振分率Ｆ１〜Ｆ３が算出される（Ｓ３１〜Ｓ４１）。振分率Ｆ１〜Ｆ３の少なくとも一つが所定の閾値を超えた場合、所定のエラーが報知される（Ｓ４３：ＹＥＳ、Ｓ４５）。したがって、流下する遊技球を複数の検出領域（第一〜第三通過口１１〜１３）に振分ける振分装置３０で生じた振分け先の異常な偏りを、簡易な構造で正確に検出できる。
【００９４】
振分率Ｆ１〜Ｆ３に対応する異常レベルＬ１〜Ｌ３が、振分判定テーブル５００に基づいて特定される（Ｓ３３，Ｓ３７，Ｓ４１）。あらかじめ定められた複数のエラーの報知態様のうち、特定された異常レベルＬ１〜Ｌ３に対応する報知態様によってエラーが報知される（Ｓ４５）。したがって、振分け先の偏りの大きさに応じた態様でエラー報知が行われるので、例えばホールの管理者は振分け先の偏りの大きさを容易に判別できる。
【００９５】
エラー報知（Ｓ４５）では、電飾部材３５が遊技の進行中とは異なる態様で点灯又は点滅される。したがって、エラー報知専用の電飾部材を設ける必要がないため、パチンコ機１の構造が複雑になることを抑制できる。さらに遊技に使用される電飾部材３５によってエラー報知を行うことで、遊技者がエラー報知を察知困難にできる。
【００９６】
第一〜第三検出スイッチ７１〜７３によって検出された遊技球の合計が、パチンコ機１の初期状態から起算して所定値に達した場合に、エラー判定処理が実行される（Ｓ１７：ＹＥＳ、Ｓ１９）。この場合、遊技球の検出数のサンプリング不足に起因するエラー検出の精度劣化を抑制できる。
【００９７】
第一〜第三検出スイッチ７１〜７３によって検出された遊技球の合計が、パチンコ機１の初期状態から起算して所定値に達していない場合に、正常状態が報知される（Ｓ１７：ＮＯ、Ｓ２１）。この場合、遊技球の検出数のサンプリング不足に起因するエラーの誤報知を抑制できる。
【００９８】
＜１０．変形例等＞
上記実施形態及び後述の変形例において、振分装置３０が本発明の「遊技部材」に相当する。流路９１が本発明の「入球路」に相当する。流路９２，９３，９６が本発明の「少なくとも三つの案内路」に相当する。振分可動体３１０が本発明の「振分部材」に相当する。流路９６が本発明の「第一案内路」に相当する。流路９２，９３が本発明の「複数の第二案内路」に相当する。第三検出スイッチ７３が本発明の「第一検出手段」に相当する。第一検出スイッチ７１及び第二検出スイッチ７２が、本発明の「複数の第二検出手段」に相当する。第三通過口１３が本発明の「第一検出部」に相当する。第一通過口１１及び第二通過口１２が、本発明の「複数の第二検出部」に相当する。振分モータ３３０が本発明の「駆動手段」に相当する。なお、本発明は上記実施形態に限定されるものではなく、種々の変更が可能であることは勿論である。
【００９９】
（１）例えば、第一〜第三通過口１１〜１３は、遊技球が入賞した場合に特別図柄を作動させる入賞口、又は遊技球が通過した場合に普通図柄を作動させる始動ゲートでもよい。図１７に示す変形例のパチンコ機１では、普通図柄作動ゲート１０、第一特別図柄始動口１４、及び第二特別図柄始動口１５（図１参照）は設けられておらず、振分装置３０の下側に開閉部材を備えた普通電動役物１７が設けられている。本変形例の制御部４０（図２参照）では、第一〜第三始動口スイッチ７４〜７６、大入賞口開閉ソレノイド７８、及び普通図柄作動スイッチ７０は設けられていない。
【０１００】
この場合、第一検出スイッチ７１及び第二検出スイッチ７２が出力する検出信号は、ＣＰＵ５１に第一の普通当たり判定を実行させる信号として機能する。第三検出スイッチ７３が出力する検出信号は、ＣＰＵ５１に第二の普通当たり判定を実行させる信号として機能する。第一、第二の普通当たり判定のいずれかにおいて当たりと判定されると、普通当たり遊技が実行される。普通当たり遊技では、普通電動役物開閉ソレノイド７７（図２参照）が普通電動役物１７の開閉部材を所定回数開放する。開放された普通電動役物１７に遊技球が入賞すると、賞球が遊技者に付与される。なお、第二の普通当たり判定は第一の普通当たり判定よりも、当たりと判定される確率が高いことが好適である。この場合、第三通過口１３は、第一通過口１１及び第二通過口１２よりも有利な普通図柄の始動ゲートである。
【０１０１】
本変形例は、振分装置３０及びエラー判定処理（図１６）が上記実施形態と同様であるため、上記実施形態と同様の作用効果を奏する。さらに、振分装置３０の備える第一〜第三検出スイッチ７１〜７３が、パチンコ機１に抽選を実行させる信号を出力する。詳細には、第一通過口１１及び第二通過口１２をそれぞれ通過した遊技球を検出した第一検出スイッチ７１及び第二検出スイッチ７２は、パチンコ機１に第一の普通当たり判定を実行させる検出信号を各々出力する。第三通過口１３を通過した遊技球を検出した第三検出スイッチ７３は、パチンコ機１に第二の普通当たり判定を実行させる検出信号を出力する。
【０１０２】
したがって、遊技球が第一通過口１１及び第二通過口１２のいずれかを通過した場合（つまり、第一検出スイッチ７１及び第二検出スイッチ７２のいずれかが遊技球を検出した場合）と、遊技球が第三通過口１３を通過した場合（つまり、第三検出スイッチ７３が遊技球を検出した場合）とで、各々異なる抽選をパチンコ機１に実行させることができ、遊技内容を多様化できる。
【０１０３】
（２）振分装置３０において、振分可動体３１０による遊技球の振り分け先は三つの流路９２，９３，９６に限定されず、振り分け先は四つ以上の流路でもよい。振分可動体３１０は、遊技球を少なくとも三つの流路のいずれかに振分け可能な構造であればよい。遊技球が振り分けられる複数の流路に対応するゲート又は入賞口（及び検出スイッチ）を設けなくてもよいし、遊技球が振り分けられる複数の流路の少なくとも一つに対応して、ゲート又は入賞口（及び検出スイッチ）を設けてもよい。
【０１０４】
ただし、振分エラー検出処理（図１５参照）を実行するためには、振分可動体３１０によって遊技球が振り分けられる少なくとも三つの検出領域（上記実施形態では、第一〜第三通過口１１〜１３）が必要である。この場合、遊技球が振り分けられる全ての検出領域について、各々の検出領域を入賞又は通過する遊技球を検出する検出スイッチを設けることが好適である。
【０１０５】
さらに、上記実施形態の振分エラー検出処理（図１５参照）では、第一〜第三通過口１１〜１３の全てについて振分エラーの検出が行われる場合を例示した。しかしながら、振分エラー検出処理では、遊技球が振り分けられる全ての検出領域の少なくとも一つについて、振分エラーの検出が行われればよい。例えば、遊技球が振り分けられる全ての検出領域のうちで、遊技者に最も有利な検出領域（上記実施形態では、第三通過口１３）のみについて、振分エラーの検出が行われてもよい。
【０１０６】
遊技球が第一特別図柄始動口１４及び第二特別図柄始動口１５のいずれかに入賞した場合（つまり、遊技球が第一〜第三始動口スイッチ７４〜７６のいずれかによって検出された場合）、パチンコ機１で全て同じ抽選が実行されてもよいし、パチンコ機１で全て異なる抽選が実行されてもよい。同様に、遊技球が第一〜第三通過口１１〜１３のいずれかを通過した場合（つまり、遊技球が第一〜第三検出スイッチ７１〜７３のいずれかによって検出された場合）、パチンコ機１で全て同じ抽選が実行されてもよいし、パチンコ機１で全て異なる抽選が実行されてもよい。なお、第一〜第三通過口１１〜１３のうち、一部が特別図柄を作動する入賞口であり、残りが普通図柄を作動する始動ゲートでもよい。
【０１０７】
（３）振分可動体３１０の動作態様は、所定の回転範囲で揺動するものに限定されず、例えば一方向に回転するものでもよい。振分可動体３１０の回転方向、回転速度、回転範囲などは、遊技球の振分先毎に想定する振分率に応じて最適な値を設定すればよい。
【０１０８】
上記実施形態では、電飾部材３５の発光態様によってエラー報知が実行されるが（Ｓ４５）、エラー報知の態様は変更可能である。例えばスピーカ４８からの音声出力、又は電飾部材３５とは異なる発光体の発光態様によって、エラー報知を行ってもよい。電飾部材３５は、前面枠１８に設けられたものに限定されず、遊技盤２の前面に設けられてもよい。
【０１０９】
上記実施形態では、異常レベルに応じた異なる報知態様でエラー報知が実行される（Ｓ４５）。これに代えて、振分エラーが発生した場合には、共通の態様でエラー報知が実行されてもよい。正常状態の報知（Ｓ２１、Ｓ４７）は、実行しなくてもよい。
【０１１０】
上記実施形態では、パチンコ機１が初期化されたタイミングから総検出数Ｔ及び第一〜第三個別検出数がカウントされるが（Ｓ１〜Ｓ１５）、総検出数及び個別検出数を起算するタイミング（つまり、検出カウンタＫ１〜Ｋ３をリセットするタイミング）は変更可能である。例えば、総検出数Ｔが規定回数（例えば、３００回）に達した場合に、Ｓ１と同様に検出カウンタＫ１〜Ｋ３をリセットしてもよい。また、パチンコ機１における特別図柄に基づく大当たり判定回数（所謂、回転数）が規定回数（例えば、５００回）に達した場合に、Ｓ１と同様に検出カウンタＫ１〜Ｋ３をリセットしてもよい。
【０１１１】
（４）第一〜第三検出スイッチ７１〜７３による検出結果の履歴情報を記憶しておき、この履歴情報に基づいて振分エラーを判定してもよい。具体的に、図１８に示す変形例の振分エラー検出処理では、第一〜第三検出スイッチ７１〜７３のいずれかがＯＮであるか否かが判断される（Ｓ１０１）。主基板４１から第一〜第三検出コマンドのいずれかを受信している場合、第一〜第三検出スイッチ７１〜７３のいずれかがＯＮであると判断される（Ｓ１０１：ＹＥＳ）。この場合、第一〜第三検出コマンドのいずれを受信したかを示す検出履歴情報が、ＲＡＭ５８２に時系列で記憶される（Ｓ１０３）。
【０１１２】
第一〜第三検出スイッチ７１〜７３がいずれもＯＦＦである場合（Ｓ１０１：ＮＯ）、又はＳ１０３の実行後、ＲＡＭ５８２に記憶されている検出履歴情報の総数である総履歴数Ｍが規定値（例えば、１００）以上であるか否かが判断される（Ｓ１０５）。総履歴数Ｍが規定値以上である場合（Ｓ１０５：ＹＥＳ）、総履歴数Ｍが上限数（例えば、３００）以下であるか否かが判断される（Ｓ１０７）。総履歴数Ｍが上限数を超える場合（Ｓ１０７：ＮＯ）、総履歴数Ｍが上限数と等しくなるように、検出履歴情報が取得日時の古い順にＲＡＭ５８２から削除される（Ｓ１０９）。これにより、検出履歴情報が取得日時の新しい順に上限数と同数だけＲＡＭ５８２に記憶される。
【０１１３】
総履歴数Ｍが上限数以下である場合（Ｓ１０７：ＹＥＳ）、又はＳ１０９の実行後、図１６に示すエラー判定処理が実行される（Ｓ１１１）。総履歴数Ｍが規定値未満である場合（Ｓ１０５：ＮＯ）、Ｓ２１と同様に正常状態が報知される（Ｓ１１３）。Ｓ１１１又はＳ１１３の実行後、処理はＳ１０１に戻る。
【０１１４】
ＲＡＭ５８２に記憶されている検出履歴情報のうち、第一〜第三コマンドを受信したことを示す検出履歴情報の数量が、それぞれ第一〜第三個別検出数に相当する。エラー判定処理（図１６参照）では、総履歴数Ｍに対する第一コマンドの検出履歴情報（第一個別検出数）の割合が、振分率Ｆ１として算出される（Ｓ３１）。同様に、総履歴数Ｍと第二コマンドの検出履歴情報（第二個別検出数）とに基づいて、振分率Ｆ２が算出される（Ｓ３５）。総履歴数Ｍと第三コマンドの検出履歴情報（第三個別検出数）とに基づいて、振分率Ｆ３が算出される（Ｓ３９）。その他の処理は、上記実施形態と同様である。
【０１１５】
本変形例によれば、総履歴数Ｍが１００未満である場合は、正常状態が報知される（Ｓ１０５：ＮＯ、Ｓ１１３）。総履歴数Ｍが１００〜３００である場合は、ＲＡＭ５８２に記憶されている検出履歴情報に基づいて、正常状態又は振分エラーが報知される（Ｓ１０７：ＹＥＳ、Ｓ４５又はＳ４７）。総履歴数Ｍが３００を超えた場合は、取得日時が新しい３００個の検出履歴情報に基づいて、正常状態又は振分エラーが報知される（Ｓ１０７：ＮＯ、Ｓ４５又はＳ４７）。これにより、第一〜第三検出スイッチ７１〜７３による最近の検出結果に基づいて、振分装置３０の振分エラーを正確に判定することができる。なお、本変形例においても、遊技球が振り分けられる全ての検出領域の少なくとも一つ（例えば、遊技者に最も有利な検出領域）について、振分エラーの検出が行われればよいことは勿論である。
【０１１６】
（５）請求項、明細書および図面に記載される全ての要素（例えば、制御部４０、振分装置３０、演出装置８、第一〜第三通過口１１〜１３、第一〜第三検出スイッチ７１〜７３、大入賞口１６等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「振分装置３０」は、ハード単体でも、ソフトを含んだものであっても構わない。 
【０１１７】
更には、上記全ての要素のうちの複数の要素を適宜一体的に構成するか、もしくはひとつの要素を複数の要素に分けて構成するかは、何れも当業者であれば容易に考えられる事項である。従って、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【０１１８】
１    パチンコ機
２    遊技盤
４    遊技領域
１１    第一通過口
１２    第二通過口
１３    第三通過口
３０    振分装置
７１    第一検出スイッチ
７２    第二検出スイッチ
７３    第三検出スイッチ
８０    入球口
９１，９２，９３，９６        流路
９１Ａ    排出案内部
９９    分岐部
３１０    振分可動体
３１３    規制面
３１４    規制面
３１５    通過口
３３０    振分モータ
【図１】
2015047481.tif 000003
【図２】
2015047481.tif 000004
【図３】
2015047481.tif 000005
【図４】
2015047481.tif 000006
【図５】
2015047481.tif 000007
【図６】
2015047481.tif 000008
【図７】
2015047481.tif 000009
【図８】
2015047481.tif 000010
【図９】
2015047481.tif 000011
【図１０】
2015047481.tif 000012
【図１１】
2015047481.tif 000013
【図１２】
2015047481.tif 000014
【図１３】
2015047481.tif 000015
【図１４】
2015047481.tif 000016
【図１５】
2015047481.tif 000017
【図１６】
2015047481.tif 000018
【図１７】
2015047481.tif 000019
【図１８】
2015047481.tif 000020